(57)【要約】【課題】印刷内容の異なる多品種の缶体を効率良く製造する。【解決手段】金属製材料を筒状の素缶体に成形する基本成形工程（ＵＣ、ＬＵ、ＣＰ、ＢＭ、ＴＲ）と、前記基本成形工程（ＵＣ、ＬＵ、ＣＰ、ＢＭ、ＴＲ）で成形した素缶体の外周面に、複数の印刷機（ＰＲ１、ＰＲ２）を用いて複数品種（Ａ、Ｂ）の印刷を並行して行うとともに品種に対応する識別マークを印刷する印刷工程と、前記印刷工程で印刷された複数品種の素缶体（Ａ、Ｂ）が混在した状態で缶体の仕上げを行う仕上げ工程（ＩＮＳ、ＢＯ、ＱＮＦ）と、前記仕上げ工程で仕上げられた複数品種の缶体（Ａ、Ｂ）に対し、印刷された識別マークを検出して品種を識別し、識別結果に基づいて缶体を品種（Ａ、Ｂ）毎に分別する分別工程（ＳＴＲ）とを含むことを特徴とする。【選択図】図１
2008183613.tif 000002
【特許請求の範囲】
【請求項１】
金属製材料を筒状の素缶体に成形する基本成形工程と、
前記基本成形工程で成形した素缶体の外周面に、複数の印刷機を用いて複数品種の印刷を並行して行うとともに品種に対応する識別マークを印刷する印刷工程と、
前記印刷工程で印刷された複数品種の素缶体が混在した状態で缶体の仕上げを行う仕上げ工程と、
前記仕上げ工程で仕上げられた複数品種の缶体に対し、印刷された識別マークを検出して品種を識別し、識別結果に基づいて缶体を品種毎に分別する分別工程とを含むことを特徴とする複数品種の缶体の製造方法。
【請求項２】
前記印刷工程において、複数の印刷機のうちの一部の印刷機を停止して品種変更のための準備作業を行い、準備が整った後に印刷工程に復帰させる請求項１に記載の複数品種の缶体の製造方法。
【請求項３】
前記分別工程は、缶体を進行方向に沿って等間隔で一列に整列させる整列工程と、前記整列工程で等間隔に整列させた缶体の列を進行させながら自転させる間に識別マークを検出して品種を識別する識別工程と、缶体の列を進行させながら、前記識別工程の識別結果に基づいて品種毎に缶体を列から分離する分離工程とを含む請求項１または２に記載の複数品種の缶体の製造方法。
【請求項４】
前記印刷工程と前記仕上げ工程との間に、素缶体の底部を塗装する底部塗装工程と、印刷および底部塗装した素缶体を焼付ける焼付け工程とを行う請求項１〜３のいずれかに記載の複数品種の缶体の製造方法。
【請求項５】
前記基本成形工程において、金属製板材を打ち抜いたブランク材に絞り加工を施して浅いカップ状素材を形成し、このカップ状素材に対してしごき加工を施し、さらに上端の耳部を切り揃えて有底円筒状の基本形の素缶体を製作する請求項１〜４のいずれかに記載の複数品種の缶体の製造方法。
【請求項６】
前記基本成形工程と前記印刷工程との間に、素缶体を洗浄する洗浄工程を行う請求項１〜５のいずれかに記載の複数品種の缶体の製造方法。
【請求項７】
前記仕上げ工程は、素缶体の内面を塗装する内面塗装工程と、内面塗装された素缶体の内面を焼付ける内面焼付け工程と、缶体を最終形状に成形する仕上げ成形工程とを含む請求項１〜６のいずれかに記載の複数品種の缶体の製造方法。
【請求項８】
前記仕上げ成形工程は、缶口を絞る縮径工程と、素缶体の開口縁部に閉塞部材を取り付けるための取付部を成形あるいは縮形された口部にねじ部を成形する工程とを含む請求項７に記載の複数品種の缶体の製造方法。
【請求項９】
前記分別工程後に、分別された缶体の良否を検査する検査工程を行い、次いで検査に合格した缶体をパレットに積載する積載工程を行う請求項１〜８のいずれかに記載の複数品種の缶体の製造方法。
【請求項１０】
前記仕上げ工程と分別工程の間に、仕上げられた缶体の良否を検査する検査工程を行い、分別工程後に前記検査工程に合格した缶体をパレットに積載する積載工程を行う請求項１〜８のいずれかに記載の複数品種の缶体の製造方法。
【請求項１１】
外周部に複数個の整列用ポケットが等間隔で設けられた回転盤と、前記整列用ポケット内への缶体の保持および切り離しを行う脱着装置とを有する整列部と、
外周部に複数個の自転可能な自転用ポケットが前記整列用ポケットと等しい間隔で設けられた回転盤と、前記自転用ポケット内への缶体の保持および切り離しを行う脱着装置と、前記自転用ポケット内で自転する缶体の識別マークを検出するとともに検出結果に基づいて品種を識別する検出器とを有する識別部と、
外周部に複数個の分離用ポケットが前記整列用ポケットと等間隔で設けられた回転盤と、前記分離用ポケット内への缶体の保持および切り離しを行う脱着装置とを有する分離部とを備え、
前記整列部の回転盤を回転させながら整列用ポケットに缶体を順次保持することにより缶体を等間隔で一列に整列させ、整列させた缶体を順次整列用ポケットから切り離して前記識別部の回転盤の自転用ポケットに乗り移らせて保持し、回転盤を回転させながら自転用ポケットを一回転以上自転させて缶体の品種を順次識別し、識別後の缶体を順次自転用ポケットから切り離して前記分離部の回転盤の分離用ポケットに乗り移らせて保持し、回転盤を回転させて品種毎に設定された位置に到達したときに分離用ポケットから缶体を切り離すものとなされていることを特徴とする缶体の分別装置。
【請求項１２】
前記識別部において、各自転用ポケットに対応して同数の検出器が回転盤の中心側に取り付けられている請求項１１に記載の缶体の分別装置。
【発明の詳細な説明】
【技術分野】
【０００１】
この発明は、外周面の印刷内容が異なる複数品種の缶体を製造する方法、およびこの製造方法に用いる缶体の分別装置に関する。
【背景技術】
【０００２】
金属製飲料用のＤＩ缶と呼ばれる２ピース缶体は、例えば図８に示すラインで製造される（非特許文献１参照）。
【０００３】
アンコイラー（ＵＣ）においてコイルに巻いた金属製薄板を巻きほどきながらルブリケーター（ＬＵ）で潤滑油を塗布し、カッピングプレス（ＣＰ）によりブランク材を打ち抜くとともにカップ状素材に成形する。次に、ボディメーカー（ＢＭ）において、カップ状素材をＤＩ加工等により所定厚さの側壁を有する缶体を成形するとともに底部を成形し、さらにトリマー（ＴＲ）において缶胴の上端の耳部を切り揃えて有底円筒状の基本形の缶体を製作する。次に、ウォッシャー（ＷＳ）で缶体を洗浄し、プリンター（ＰＲ）で缶体の外周面に印刷を行い、ボトムコーター（ＢＴＣ）で缶底外面を塗装し、ピンオーブン（ＰＯ）で焼き付ける。外面印刷を行った缶体は、インサイドスプレー（ＩＮＳ）にて内面塗装を行い、ベークオーブン（ＢＯ）で塗装した内面を焼き付け乾燥させる。次に、ネッカー・フランジャー（ＱＮＦ）で缶体の開口縁部の縮径およびフランジ加工を行い、ネジ蓋缶の場合は開口縁部の縮径後ネジ付け加工を行い、最終形状の缶体に成形される。製造された缶体は、ディフェクティブキャンテスター（ＤＣＴ）で外観および印刷を検査し、ライトテスター（ＬＴ）で穴あき検査を行った後、パレタイザー（ＰＴ）で所定個数の缶体をパレットに積載する。上記製造ラインにおいて、ボディメーカー（ＢＭ）、トリマー（ＴＲ）、インサイドスプレー（ＩＮＳ）、ディフェクティブキャンテスター（ＤＣＴ）は缶体１個当たりの処理時間が長いために、これらの工程では複数台の装置を備えて複数の缶体を並行処理することにより、缶体が特定の工程で滞留することなく円滑に製造される。
【非特許文献１】「SHOWA ALUMINUM CAN CORPORATION PROFILE」、昭和アルミニウム缶株式会社、２００４年１月３日発行、ｐ．１２−１３
【発明の開示】
【発明が解決しようとする課題】
【０００４】
近年、消費者の好みが多様化しているため、多品種の缶体が要求される。また、商品寿命も短くなり、その都度缶体の印刷内容も更新することになる。
【０００５】
上記製造ラインにおいて、缶体の印刷内容を更新するには、版の交換だけでなく、ラインからの前品種の払い出し、ロールの洗浄、新しい版の合わせ、色出し、インク交換等の作業が伴い、その間はラインを停止させなければならない。このため、商品数が多く商品寿命が短くなるほどラインの停止回数は多くなり、生産効率が悪くなる。
【０００６】
印刷内容を更新する場合でも、缶体の形状が共通であれば、２台の印刷機を用い、一方の印刷機がライン上で稼働している間に他方の印刷機で更新の準備作業を行い、準備が完了したら印刷機を切り替えることも考えられる。しかしながら、最終工程のパレタイザー（ＰＬ）ではパレット上に同一品種を積載しなければならないので、前品種を払い出すまでは印刷機を切り替えることができず、その間は時間ロスとなる。
【課題を解決するための手段】
【０００７】
本発明は、上述した技術背景に鑑み、印刷内容の異なる多品種の缶体を効率良く製造できる複数品種の缶体の製造方法、およびこの製造方法に用いる缶体の分別装置の提供を目的とする。
【０００８】
即ち、本発明の複数品種の缶体の製造方法は、下記［１］〜［１０］に記載の各構成を有する。
【０００９】
［１］  金属製材料を筒状の素缶体に成形する基本成形工程と、
前記基本成形工程で成形した素缶体の外周面に、複数の印刷機を用いて複数品種の印刷を並行して行うとともに品種に対応する識別マークを印刷する印刷工程と、
前記印刷工程で印刷された複数品種の素缶体が混在した状態で缶体の仕上げを行う仕上げ工程と、
前記仕上げ工程で仕上げられた複数品種の缶体に対し、印刷された識別マークを検出して品種を識別し、識別結果に基づいて缶体を品種毎に分別する分別工程とを含むことを特徴とする複数品種の缶体の製造方法。
【００１０】
［２］  前記印刷工程において、複数の印刷機のうちの一部の印刷機を停止して品種変更のための準備作業を行い、準備が整った後に印刷工程に復帰させる前項１に記載の複数品種の缶体の製造方法。
【００１１】
［３］  前記分別工程は、缶体を進行方向に沿って等間隔で一列に整列させる整列工程と、前記整列工程で等間隔に整列させた缶体の列を進行させながら自転させる間に識別マークを検出して品種を識別する識別工程と、缶体の列を進行させながら、前記識別工程の識別結果に基づいて品種毎に缶体を列から分離する分離工程とを含む前項１または２に記載の複数品種の缶体の製造方法。
【００１２】
［４］  前記印刷工程と前記仕上げ工程との間に、素缶体の底部を塗装する底部塗装工程と、印刷および底部塗装した素缶体を焼付ける焼付け工程とを行う前項１〜３のいずれかに記載の複数品種の缶体の製造方法。
【００１３】
［５］  前記基本成形工程において、金属製板材を打ち抜いたブランク材に絞り加工を施して浅いカップ状素材を形成し、このカップ状素材に対してしごき加工を施し、さらに上端の耳部を切り揃えて有底円筒状の基本形の素缶体を製作する前項１〜４のいずれかに記載の複数品種の缶体の製造方法。
【００１４】
［６］  前記基本成形工程と前記印刷工程との間に、素缶体を洗浄する洗浄工程を行う前項１〜５のいずれかに記載の複数品種の缶体の製造方法。
【００１５】
［７］  前記仕上げ工程は、素缶体の内面を塗装する内面塗装工程と、内面塗装された素缶体の内面を焼付ける内面焼付け工程と、缶体を最終形状に成形する仕上げ成形工程とを含む前項１〜６のいずれかに記載の複数品種の缶体の製造方法。
【００１６】
［８］  前記仕上げ成形工程は、缶口を絞る縮径工程と、素缶体の開口縁部に閉塞部材を取り付けるための取付部を成形あるいは縮形された口部にねじ部を成形する工程とを含む前項７に記載の複数品種の缶体の製造方法。
【００１７】
［９］  前記分別工程後に、分別された缶体の良否を検査する検査工程を行い、次いで検査に合格した缶体をパレットに積載する積載工程を行う前項１〜８のいずれかに記載の複数品種の缶体の製造方法。
【００１８】
［１０］  前記仕上げ工程と分別工程の間に、仕上げられた缶体の良否を検査する検査工程を行い、分別工程後に前記検査工程に合格した缶体をパレットに積載する積載工程を行う前項１〜８のいずれかに記載の複数品種の缶体の製造方法。
また、本発明の缶体の分別装置は下記［１１］［１２］に記載の各構成を有する。
【００１９】
［１１］  外周部に複数個の整列用ポケットが等間隔で設けられた回転盤と、前記整列用ポケット内への缶体の保持および切り離しを行う脱着装置とを有する整列部と、
外周部に複数個の自転可能な自転用ポケットが前記整列用ポケットと等しい間隔で設けられた回転盤と、前記自転用ポケット内への缶体の保持および切り離しを行う脱着装置と、前記自転用ポケット内で自転する缶体の識別マークを検出するとともに検出結果に基づいて品種を識別する検出器とを有する識別部と、
外周部に複数個の分離用ポケットが前記整列用ポケットと等間隔で設けられた回転盤と、前記分離用ポケット内への缶体の保持および切り離しを行う脱着装置とを有する分離部とを備え、
前記整列部の回転盤を回転させながら整列用ポケットに缶体を順次保持することにより缶体を等間隔で一列に整列させ、整列させた缶体を順次整列用ポケットから切り離して前記識別部の回転盤の自転用ポケットに乗り移らせて保持し、回転盤を回転させながら自転用ポケットを一回転以上自転させて缶体の品種を順次識別し、識別後の缶体を順次自転用ポケットから切り離して前記分離部の回転盤の分離用ポケットに乗り移らせて保持し、回転盤を回転させて品種毎に設定された位置に到達したときに分離用ポケットから缶体を切り離すものとなされていることを特徴とする缶体の分別装置。
【００２０】
［１２］  前記識別部において、各自転用ポケットに対応して同数の検出器が回転盤の中心側に取り付けられている前項１１に記載の缶体の分別装置。
【発明の効果】
【００２１】
上記［１］に記載の複数品種の缶体の製造方法によれば、基本成形工程で成形した素缶体に対して複数の印刷機で複数品種の印刷を並行して行った後、仕上げ工程は複数品種の缶体が混在した状態で行い、缶体を仕上げた後に品種を分別するので、複数品種を並行して製造することができる。また、一部の印刷機を停止しても他の印刷機が稼働しているため、ライン全体を停止させることなく他の印刷機で印刷された品種の缶体の製造が続行される。かかる工程により、複数品種の缶体を効率良く製造できる。
【００２２】
上記［２］に記載の複数品種の缶体の製造方法によれば、複数の印刷機のうちの一部の印刷機を停止して品種変更のための準備作業を行い、準備が整った後に印刷工程に復帰させることができる。この準備作業中も他の印刷機は稼働してラインが停止することなく缶体の製造が行われており、停止させた印刷機が復帰すれば再び複数品種の缶体を並行して製造できる。このような一部の印刷機の準備のための停止と復帰とを組み合わせることにより、多数品種の製造をさらに効率良く行うことができる。
【００２３】
上記［３］に記載の複数品種の缶体の製造方法によれば、複数品種の缶体を効率良く分別することができ、ひいては複数品種の缶体製造を効率良く行うことができる。
【００２４】
上記［４］〜［１０］に記載の各複数品種の缶体の製造方法によれば、様々な工程を追加して複数品種の缶体を効率良く製造できる。
【００２５】
上記［１１］に記載の缶体の分別装置は、［１］〜［１０］に記載の缶体の製造方法における分別工程に好適に用いることができる。
【００２６】
上記［１２］に記載の缶体の分別装置によれば、精度の高い識別を行うことができる。
【発明を実施するための最良の形態】
【００２７】
図１は、本発明の缶体の製造方法を採用した飲料用アルミニウム缶の製造工程図である。以下に、図１を参照しつつ、複数品種のアルミニウム缶を製造する方法について詳述する。カッピングプレス（ＣＰ）以降の工程において、二重線または単線で接続されている工程はコンベアによる缶体移送を伴う工程であり、枠線が直結する工程は缶体を移送することなく連続して処理をする工程である。また、図２に参照されるように、二重線で示す移送は複数の缶体（Ｓ）を整列させることなく移動させるマスコンベア(1)による移送であり、単線で示す移送は缶体（Ｓ）を一列に整列させて移動させるシングルコンベア(2)による移送である。また、マスコンベア(1)からシングルコンベア(2)に移動させる場合は、入口側から出口側に向かって幅を縮小し、出口を缶体１個が通過する幅に設定したシングルファイラー(3)を介在させると、シングルファイラー(3)上を移動する間に缶体（Ｓ）は一列に整列し、整列した缶体（Ｓ）をシングルコンベア(2)に送り込むことができる。逆に、シングルコンベア(2)からマスコンベア(1)に移動させる場合は、シングルコンベア(2)から直接マスコンベア(1)に缶体を送り込めば良く、順次送り込まれる缶体（Ｓ）はマスコンベア(1)の幅方向に広がりながら移送される。図２は、図１のベークオーブン（ＢＯ）への導入からソーター（ＳＴＲ）への導入まで移送を例示したものであり、他の工程間のマスコンベア(1)およびシングルコンベア(2)による移動も同様にして行われる。
【００２８】
（１）アンコイラー（ＵＣ）において、コイルに巻いたアルミニウム薄板を巻き解きながら、ルブリケーター（ＬＵ）で成形加工のための潤滑油を塗布する。
【００２９】
（２）カッピングプレス（ＣＰ）において、円形のブランク材を打ち抜き、さらに絞り加工により浅いカップ状素材を成形する。
【００３０】
（３）ボディメーカー（ＢＭ）において、前記カップ状素材に対して絞り加工およびしごき加工を施して、周壁を所定厚さに成形する。さらに缶体の底部をドーム状に成形する。
【００３１】
（４）ボディメーカー（ＢＭ）による成形に続いて、トリマー（ＴＲ）において、周壁上部の耳部を切り揃える。これにより、円筒状の素缶体が成形される。
【００３２】
（５）ウォッシャー（ＷＳ）において、素缶体を洗浄し、加工のために塗布した潤滑油やその他の付着物を除去する。
【００３３】
（６）プリンター（ＰＲ）において、素缶体の外周面に所要の図柄および図柄に対応する識別マークを印刷する。２台のプリンター（ＰＲ）においてＡ、Ｂ２種類の異なる図柄を印刷する。
【００３４】
（７）ボトムコーター（ＢＴＣ）において、缶底外面の接地部分を塗装する。
【００３５】
（８）ピンオーブン（ＰＯ）において、素缶体の外周面の印刷および缶底の塗装を焼き付ける。前記（６）工程の印刷から本工程までは缶体(A)と缶体(B)とを別ラインで行う。
【００３６】
（９）移送の間にシングルコンベアからマスコンベアに移し、素缶体(A)および素缶体(B)を混在させた状態でインサイドスプレー（ＩＮＳ）に送り込み、内面を塗装する。
【００３７】
（１０）ベークオーブン（ＢＯ）において、素缶体(A)および素缶体(B)の内面塗装を焼き付ける。
【００３８】
（１１）ネッカー・フランジャー（ＱＮＦ）において、素缶体(A)および素缶体(B)の開口縁を縮径するともに、プレート状の缶蓋をかしめて取り付けるためのフランジを成形する。本工程により、最終形状の缶体(A)および缶体(B)が製作される。
【００３９】
（１２）ソーター（ＳＴＲ）において、缶体(A)および缶体(B)の外周面に印刷された識別マークを検出し、検出結果に基づいて缶体(A)および缶体(B)を分別し、それぞれのラインに載せる。以降の工程は缶体(A)と缶体(B)とを別ラインで行う。
【００４０】
（１３）ディフェクティブキャンテスター（ＤＣＴ）において、缶体(A)および缶体(B)の外観および印刷の状態を検査し、不良品があれば取り除く。
【００４１】
（１４）ライトテスター（ＬＴ）において、缶体(A)および缶体(B)の穴あきの有無を検査し、不良品があれば取り除く。
【００４２】
（１５）パレタイザー（ＰＴ）において、検査に合格した缶体(A)および缶体(B)をパレットに積載する。
【００４３】
なお、図１に示すように、ボディメーカー（ＢＭ）、トリマー（ＴＲ）、インサイドスプレー（ＩＮＳ）、ソーター（ＳＴＲ）、およびディフェクティブキャンテスター（ＤＣＴ）は、２台またはそれ以上の複数台の装置を用いてそれぞれの工程を実施している。これは、これらの工程の実施に時間がかかるため、１台のみで実施するとその工程によって全工程が律速されるためである。時間のかかる工程で複数の装置で並行して処理することにより、全工程をよどみなく進行させることができる。ただし、これらの装置でも、処理速度が速く複数台を必要としない場合は１台で良い。
【００４４】
上述した缶体の製造工程において、２台の印刷機で異なる内容の外周面印刷を行い、続いてそれぞれのラインで缶底印刷および外面の焼付けを行った（上記工程の（６）（７）（８））後、内面塗装、焼付けおよび仕上げ成形（上記工程の（９）（１０）（１１））は品種を混在させた状態で行う。これらの工程は印刷内容と関係なく行う同一の工程であり、異品種混在状態で実施することができる。このため、一方の印刷機の印刷内容を変更するためにその印刷機の稼働を止めても、他方の印刷機で印刷した缶体に対してその後の全て工程を通して行うことができる。停止させた一方の印刷機においては、印刷の版の交換や色出し等の準備が整えば、再び印刷機を稼働させて上記ラインに復帰させることができる。即ち、一方の印刷機の停止中も他方の印刷機によって印刷が行われ、ソーターによる品種の分別およびそれ以降の品種別の工程が行われている。このため、従来の製造ラインの品種変更に伴って必要であったラインに残った製品の払い出しを行う必要がない。また、印刷（プリンター：ＰＲ）と印刷後の連続工程である缶底塗装（ボトムコーター：ＢＴＣ）および焼付け（ピンオーブン：ＰＯ）以外の装置は停止することなく稼働を続けているので、これらの装置の準備時間も不要である。これらの装置を再稼働させるためには若干の試験運転が必要となるからである。
【００４５】
また、３台の印刷機を用いればさらに製造ラインを効率良く稼働することができる。即ち、２台の印刷機で２品種の印刷を行う間に、ライン外の３台目の印刷機で印刷準備を行っておけば、任意のタイミングでライン上の印刷機の交換を行うことができる。勿論、ライン外で２台の印刷機を準備しておき、連続して２台の印刷機を交換することもできる。いずれの場合も製造ラインは連続的に稼働しており、ライン全体が完全に停止することはない。印刷機１台分の稼働となるのも、印刷機の交換に要する時間だけである。
【００４６】
以上は２品種の印刷を行う場合であるが、３品種以上の印刷を行う場合も同様の方法で行うことができる。また、上記例は１品種について１台の印刷機を用いたものであるが、１品種について２台以上の印刷機を用いることもできる。律速となる工程の装置台数を増やすことは他の工程と同じである。
【００４７】
前記ラインにおいて、アンコイラー（ＵＣ）、ルブリケーター（ＬＵ）、カッピングプレス（ＣＰ）、ボディメーカー（ＢＭ）およびトリマー（ＴＲ）で行う処理が本発明の基本成形工程であり、同様にウォッシャー（ＷＳ）で行う処理が洗浄工程、プリンター（ＰＲ）で行う処理が印刷工程、ボトムコーター（ＢＴＣ）で行う処理が底部塗装工程、ピンオーブン（ＰＯ）で行う処理が焼付け工程、インサイドスプレー（ＩＮＳ）で行う処理が内面塗装工程、ベークオーブン（ＢＯ）で行う処理が内面焼付け工程、ネッカー・フランジャー（ＱＮＦ）で行う処理が仕上げ成形工程、ディフェクティブキャンテスター（ＤＣＴ）およびライトテスター（ＬＴ）で行う処理が検査工程、パレタイザー（ＰＴ）で行う処理が積載工程である。
【００４８】
また、本発明における仕上げ工程は、缶体を最終形状に仕上げるための仕上げ成形工程を含んでいる。例えば缶体を閉じる閉塞部材を取り付けるための取付部を成形する工程が仕上げ成形工程に該当する。上記製造例では、プレート状の缶蓋をかしめて取り付けるために、缶体の開口縁部の縮径とフランジ成形を示したが、缶体形状は上記例に限定するものではなく、缶体形状に応じて適宜仕上げ成形を行う。他の缶体形状としてネジ付キャップで閉塞する缶、所謂ボトル缶と称される缶体を例示できる。ボトル缶では缶体の開口縁部を縮径してネック部を形成し、ネジ加工用部分にネジ付け加工を施してねじ部を成形する。本発明における仕上げ成形は閉塞部材の取付部の成形やねじ部の成形に限定されるものではなく、印刷後に行う成形は仕上げ成形工程に含まれる。さらに、前記仕上げ成形工程前に行う内面塗装工程および内面焼付け工程の有無は任意であり、他の工程を追加することもできる。
【００４９】
また、本発明は印刷に供する素缶体の製造方法は例示した絞り加工およびしごき加工に限定するものではなく、任意の方法で素缶体を製作することができる。また、素缶体の形状は有底筒状に限定されず、筒体の一端に底部を取り付けるものであっても良く、底部の取付を仕上げ成形工程で行う場合も本発明に含まれる。さらに、上記製造例で基本成形工程と前記印刷工程との間に行った洗浄工程、印刷工程と仕上げ工程との間に行った底部塗装工程および焼付け工程、分別工程後に行う検査工程および積載工程の有無も任意である。また、前記検査工程は仕上げ工程と分別工程との間に行っても良く、検査工程で缶体の良否を検査してから検査に合格した缶体のみを分別し、分別した缶体を積載工程に送ることもできる。さらに、上述した工程以外の工程を製造ラインに追加することもできる。
【００５０】
上記工程において、ソーター（ＳＴＲ）の構成例を図３〜図５に示すとともに、その動作について説明する。
【００５１】
図３に示すように、ソーター（ＳＴＲ）は、缶体(A)および缶体(B)を混在状態で受け入れて整列させる整列部(10)と、缶体の品種を検出して識別する識別部(20)と、識別された缶体を品種毎に分離してそれぞれのラインへ送り出す分離部(40)とにより構成されている。
【００５２】
整列部(10)は、外周部に等間隔で１８個のポケット(11)が設けられたスターホイール(12)を有している。前記ポケット(11)は、円弧状の保持部(11a)とこの保持部(11a)の一端から伸びる直線状の導入部(11b)からなる。また、図４に示すように、スターホイール(12)の中心側から放射状に配設された空気の給排管(13)は、先端部が保持部(11a)の側壁に連通接続され、側壁の内面に開口部(13a)を有している。前記給排管(13)に供給するエアは電磁弁(14)により真空と圧空とに切り替えられ、缶体(A)(B)の脱着を行う。即ち、真空側に切り替えると開口部(13a)から空気が吸引されて保持部(11a)内の缶体(A)(B)が吸着保持される。また、保持部(11a)内の缶体中心は、給排管(13)の延長線上からずれているため、電磁弁(14)を圧空側に切り替えて空気を送出すると、缶体(A)(B)は保持部(11a)から切り離されてスターホイール(12)の接線方向に送り出される。前記電磁弁(14)はオフ状態にすると空気の給排を行わず、保持も送り出しも行わない。
【００５３】
また、前記スターホイール(12)の外周部近傍に缶体導入用のコンベア(15)が配設されている。
【００５４】
識別部(20)は、前記整列部(10)のスターホイール(12)とは逆方向に回転する円盤状のメインターレット(21)を有している。前記メインターレット(21)の周縁部には、前記整列部(10)におけるポケット(11)の間隔と等しい間隔で２４個のポケット(22)が設けられている。図５に示すように、これらのポケット(22)はベアリング(23)を介してメインターレット(21)に取り付けられ、外部から回転力を付与すると抵抗なく回転するものとなされている。また、ポケット(22)は、その底部に開口部(24a)を有する給排管(24)に連通接続され、整列部(10)と同様に電磁弁(25)による真空と圧空の切り替えにより、缶体(A)(B)の脱着を行うことができる。
【００５５】
前記メインターレット(21)の周方向の一部には自転領域（Ｒ１）が設定され、メインターレット(21)の外側にポケット(22)上の缶体を自転させるための自転装置(30)が設けられている。前記自転装置(30)は、自転用モータ(31)と３個の自転用プーリ(32)(33)(34)とを有し、自転用モータ(31)の回転を駆動用ベルト(35)で一つの自転用プーリ(32)に伝達し、３個の自転用プーリ(32)(33)(34)に掛けた自転用ベルト(36)を回転させるものとなされている。自転用ベルト(36)は、自転領域（Ｒ１）内のポケット(22)の側面に当接し、自転用ベルト(36)の回転に伴ってポケット(22)を回転させる。
【００５６】
前記メインターレット(21)の回転によって自転領域（Ｒ１）に到達したポケット(22)は前記自転装置(30)によって回転し、自転領域（Ｒ１）を過ぎるとポケット(22)の回転は停止する。即ち、メインターレット(21)に導入された缶体(A)(B)は、メインターレット(21)の回転により公転しつつ、自転領域（Ｒ１）内で自転装置(30)によって自転する。
【００５７】
一方、前記メインターレット(21)の中央部分にはポケット(22)と同数の検出器(26)が環状に配設されている。各検出器(26)は各ポケット(22)の対応位置に取り付けられ、対応するポケット(22)上の缶体(A)(B)の識別マーク（Ｍ）を検出して缶種の識別を行う。前記検出器(26)はメインターレット(21)上に固定され、缶体(A)(B)との位相のずれはないので検出エラーが少なく精度の高い品種識別を行うことができる。
【００５８】
さらに、前記自転領域（Ｒ１）の一部に識別領域（Ｒ２）が設定されている。識別領域（Ｒ２）内においては、缶体(A)(B)は１回転以上自転するように制御され、検出器(26)による識別マーク（Ｍ）の検出が行われる。検出器(26)は缶体(A)(B)の高さ方向の全体をその視野内に捉え、かつ缶体が１回転以上自転するので、識別マーク（Ｍ）が缶体(A)(B)のどこに印刷されていても確実に識別マーク（Ｍ）を検出することができる。
【００５９】
前記メインターレット(21)において、識別領域（Ｒ２）は検出器(26)の識別能力に応じて設定される。即ち、検出器(26)が識別できる缶体の自転速度に基づいて、その自転速度で缶体が３６０°自転する間にメインターレット(21)が回転する角度を計算する。このメインターレット(21)の回転角度が識別領域（Ｒ２）の下限値となるので、この角度以上の領域を設定する。上記実施形態では６０°の領域を識別領域（Ｒ２）に設定している。また、缶体の周方向に複数の識別マーク（Ｍ）を印刷しておけば、識別領域（Ｒ２）をより狭く設定することもできる。さらに、検出器(26)が識別できる自転速度は、識別マーク（Ｍ）の形状によっても異なる。数種類を識別できれば足りるものから、バーコードのように膨大な種類の識別が必要なものがあるためである。
【００６０】
自転領域（Ｒ１）は識別領域（Ｒ２）よりも広い範囲に設定することが好ましい。検出器による識別精度を高める上で、識別領域（Ｒ２）では一定速度で自転させることが重要であり、識別領域（Ｒ２）に入る手前から自転を開始して回転が安定した状態で識別領域（Ｒ２）に入ることが好ましいからである。上記実施形態においては、識別領域（Ｒ２）の４５°手前から自転を開始している。
【００６１】
また、メインターレット(21)の回転速度はスターホイール(12)(42)との缶体受け渡しに適した速度に設定されるので、上述した条件に加えて、メインターレット(21)の直径およびポケット数、スターホイール(12)(42)および自転装置(30)のレイアウト等も勘案し、自転領域（Ｒ１）および識別領域（Ｒ２）を適宜設定する。
【００６２】
分離部(40)は、前記整列部(10)のスターホイール(12)と同一構造のスターホイール(42)を有し、缶体(A)(B)の吸着保持および送出を行っている。前記スターホイール(42)におけるポケット(41)、保持部(41a)、導入部(41b)、空気の給排管(43)は、前記整列部(10)のスターホイール(12)におけるポケット(11)、保持部(11a)、導入部(11b)、給排管(13)と同一機能を有するものであり、重複する説明を省略する。前記スターホイール(42)は、前記メインターレット(21)とは逆方向に回転し、外周部近傍の３箇所に缶体(A)用の送出コンベア(45)、缶体(B)用の送出コンベア(46)、(A)、(B)以外の缶体(Z)用の送出コンベア(47)が配設されている。ここで、缶体(Z)とは、検出エラーや識別マーク（Ｍ）の印刷不良等により缶体(A)または缶体(B)のどちらとも判断できなかった缶体である。また、誤ってＡ、Ｂ以外の異品種が混入した場合も他の缶体(Z)として処理される。
【００６３】
前記ソーター（ＳＴＲ）において、複数品種が不規則に混在する缶体(A)(B)の導入から品種毎に分別して送出するまでの動作は以下のとおりである。
【００６４】
（１）導入用コンベア(15)により、缶体(A)(B)が不規則に混在した状態で密な単列にて整列部(10)に運ばれてくる。缶体(A)(B)は、まずポケット(11)の導入部(11b)の端部に接触し、スターホイール(12)の回転に伴って導入部(11b)上を移動して保持部(11a)内に導入される。保持部(11a)においては、電磁弁(14)が真空側に設定されて開口部(13a)から空気が吸引されているため、導入された缶体(A)(B)は吸着されてポケット(11)内に保持される。この繰り返しにより、前記コンベア(15)で導入されてくる缶体(A)(B)は順次ポケット(11)に保持され、保持されることで缶体(A)(B)は等間隔で一列に整列することになる。
【００６５】
（２）缶体(A)(B)をポケット(11)に保持したスターホイール(12)が回転し、識別部(20)のメインターレット(21)に近接して（Ｘ１）の位置に達すると、電磁弁(14)を圧空側に切り替えてポケット(11)から缶体(A)(B)を切り離して送り出し、メインターレット(21)のポケット(22)に乗り移らせる。缶体(A)(B)を切り離して空になったポケット(11)は電磁弁(14)をオフにして空気の給排を行わず、次の缶体(A)(B)を受け入れる手前まで進んだ時に真空側に切り替える。即ち（Ｘ２）〜（Ｘ３）の位置では電磁弁をオフとし、（Ｘ４）の位置で電磁弁(14)を真空側に切り替える。これを繰り返すことにより、缶体(A)(B)は順次メインターレット(21)に移載される。
【００６６】
（３）メインターレット(21)において、缶体(A)(B)を受け取ったポケット(22)では電磁弁(25)が真空側に設定されて底部から吸引されているので、缶体(A)(B)はポケット(22)上に保持される。そして、メインターレット(21)の回転により自転領域（Ｒ１）に達すると自転装置(30)により缶体(A)(B)が自転し始め、検出器(26)による検出に備える。
【００６７】
（４）自転領域（Ｒ１）において、缶体(A)(B)が検出領域（Ｒ２）に達すると、検出器(26)が識別マーク（Ｍ）の検出を開始する。前記検出領域（Ｒ２）内で検出した結果は図外の制御装置に送信され、予め登録されている識別マークに照らして缶体(A)、缶体(B)、他の缶体(Z)の３種類を識別する。上述したように、缶体(Z)はＡ、Ｂのいずれであるとも判断できなかった缶体である。図３において、円内に「Ａ」と記載した缶体はＡ品種であると判断された缶体、同様に「Ｂ」はＢ品種であると判断された缶体、「Ｚ」は他の品種であると判断された缶体である。
【００６８】
（５）識別領域（Ｒ２）および自転領域（Ｒ１）を過ぎた缶体(A)(B)(Z)は、分離部(40)に近接して（Ｘ５）の位置にくると、電磁弁(25)を圧空側に切り替えてポケット(22)から分離させ、分離部(40)のスターホイール(42)のポケットに乗り移らせる。分離部(40)では缶体を受け入れる前の位置（Ｘ６）から電磁弁(25)が真空側に切り替えられているため、ポケット(41)の保持部(41a)に導入された缶体(A)(B)(Z)は直ちに吸着保持される。
【００６９】
（６）分離部(40)においては、制御装置から送信される識別結果に基づいて、缶体(A)、缶体(B)、缶体(Z)が対応する送出用のコンベア(45)(46)(47)の直前の位置（Ｘ７）（Ｘ８）（Ｘ９）に達すると、電磁弁を圧空側に切り替えてそれぞれの送出用コンベア(45)(46)(47)に乗り移らせる。缶体(A)(B)(Z)を送出したポケット(41)では電磁弁をオフにして空気の給排を行わず、識別部(30)のメインターレット(21)から次の缶体(A)(B)(Z)を受け入れる手前の位置（Ｘ６）で真空側に切り替える。
【００７０】
以上により、缶体が分別され、缶体(A)および缶体(B)は次工程に送られて品種毎のラインで処理される。また、他の缶体(Z)はラインから外される。
【００７１】
上述したように、缶体(A)(B)(Z)を自転させることにより周方向の全領域を検出器(26)で観察することができ、識別マーク（Ｍ）が外周面のどの位置に印刷されていても検出することができ品種を識別できる。
【００７２】
前記識別マーク（Ｍ）の種類は何ら限定されず、バーコード、図形、文字等を例示できる。また、印刷された色で識別することも、印刷された図柄そのものを読み取って品種を識別することもできる。
【００７３】
また、缶体には内容物を充填した後の商品を識別するバーコードを印刷することも多く、この商品識別バーコードを本発明における識別マークとして利用することができる。商品識別用バーコードを利用すれば、識別マークを付加する必要がないので印刷内容を変更する必要がない。検出器は識別マークに対応するものを用いればよく、バーコードリーダー、色識別検出器、画像認識装置等を適宜用いることができる。
【００７４】
上述したソーター（ＳＴＲ）では、缶体を１回転以上自転させながら識別マークを検出することで識別マークが缶体の周方向のどこに印刷されていても検出することができる。このような検出方法は、商品識別用バーコードのように周方向の一部分に印刷されている場合、換言すれば周方向の特定位置でしか缶体を識別できない場合に適している。ソーター（ＳＴＲ）に導入される缶体の向きが不規則である以上、缶体の全周を観察しなければ確実に識別マークを捕捉できないからである。しかしながら、周方向の任意の位置で検出できる識別マークであれば、缶体を自転させる必要はないのでより簡単な装置で缶体を分別することができる。
【００７５】
図６に示すソーター（ＳＴＲ２）は缶体を自転させることなく分別するものである。
【００７６】
ソーター（ＳＴＲ２）は、図３に示した整列部(10)のスターホイール(12)と同様のスターホイール(52)と検出器(50)とを備えている。このスターホイール(52)におけるポケット(51)、保持部(52a)、導入部(52b)、給排管(53)は、前記整列部(10)のスターホイール(12)におけるポケット(11)、保持部(11a)、導入部(11b)、給排管(13)と同一機能を有するものである。ポケット(51)内での缶体保持およびポケット(51)から缶体の送り出しを行う。また、前記スターホイール(52)の外周部近傍には導入用のコンベア(54)、缶体(A)の送出用のコンベア(55)、缶体(B)の送出用のコンベア(56)、缶体(Z)の送出用のコンベア(57)が配設されている。導入用コンベア(54)で導入された缶体(A)(B)は順次スターホイール(52）のポケット(51)に吸着保持され、自転することなく公転する。
【００７７】
検出器(50)はスターホイール(52)の外方に固定され、（Ｙ）の位置にある缶体の識別マークを検出するものとなされている。（Ｙ）の位置で品種が識別された缶体(A)(B)(Z)は、検出結果に基づいて対応するコンベア(55)(56)(57)の手前で切り離されてコンベアに移載されて送り出される。
【００７８】
本発明の複数品種の缶体の製造方法において、分別工程で用いる分別装置は上述した回転盤（ターレット、スターホイール）によるソーターに限定されない。例えば、直進する缶体の列から品種毎に設定した位置で缶体を切り離すようにしても良いし、上下方向に移動させて列から切り離しても良い。
【実施例】
【００７９】
４品種の缶体の製造試験を行った。缶体は３５０ｍｌのアルミニウム缶であり、印刷内容のみが異なる。製造する缶体数は、品種Ａ：２０万缶、品種Ｂ：１５万缶、品種Ｃ：３０万缶、品種Ｄ：２０万缶である。
【００８０】
実施例の製造ラインは図１に示したものであり、プリンター（ＰＲ）と印刷後に連続処理するボトムコーター（ＢＴＣ）およびピンオーブン（ＰＯ）を２組備え、２台のソーター（ＳＴＲ）を備えている。以下の説明において、２台のプリンター（ＰＲ）を第１プリンター(ＰＲ１)、第２プリンター（ＰＲ２）と称する。また、前記ソーター（ＳＴＲ）は図３〜５に示したものであり、識別部(20)は２４個のポケット(22)を有するメインターレット(21)を備え、整列部(10)および分離部(40)は１８個のポケット(11)(41)を有するスターホイール(12)(42)を備えている。識別マーク（Ｍ）として商品識別用のバーコードを用い、検出器(26)としてバーコードリーダーを用いた。さらに前記ソーター（ＳＴＲ）後のディフェクティブキャンテスター（ＤＣＴ）は複数台を用いて缶体が滞留しないようにした。
【００８１】
一方、比較例の製造ラインは図８に示したものであり、１組のプリンター（ＰＲ）、ボトムコーター（ＢＴＣ）およびピンオーブン（ＰＯ）を備えている。
【００８２】
また、実施例、比較例のいずれのラインにおいても、ボディメーカー（ＢＭ）、トリマー（ＴＲ）、インサイドスプレー（ＩＮＳ）は複数台を用いるものとし、これらの工程で缶体が滞留しないようにした。
【００８３】
以下に、図７の実施例および比較例におけるプリンターの稼働状況を参照しつつ、各例の工程について説明する。図７において、破線は準備作業、太実線は処理速度が２０００缶／分、細実線は処理速度が１０００缶／分であることを示している。
（比較例）
カッピングプレス（ＣＰ）における処理速度を２０００缶／分とし、プリンター（ＰＲ）および他の工程における処理速度はカッピングプレス（ＣＰ）に合わせて２０００缶／分で処理するように調整した。したがって、特定の工程で缶体が滞留することなく、２０００缶／分で缶体が製造される。
【００８４】
４つの品種について、所定数の缶体を順次製造するものとした。一つの品種の製造終了後ラインに残っている缶体を払い出し、その後ラインを止めてプリンター（ＰＲ）のインキ交換、ロール清掃、版の交換と版合わせ、試し刷り等の一連の準備作業を行い、次の品種の製造を行った。各品種の準備作業および所定数の缶体製造に要した時間は以下のとおりであり、合計で６３０分を要した。
【００８５】
（品種Ａ）  準備作業１０分、製造１００分
（品種Ｂ）  準備作業６０分、製造７５分
（品種Ｃ）  準備作業６５分、製造１５０分
（品種Ｄ）  準備作業７０分、製造１００分
（実施例）
第１プリンター（ＰＲ１）および第２プリンター（ＰＲ２）における処理速度を１０００缶／分または２０００缶／分の２段階とし、他の工程の処理速度はプリンターに合わせるものとし、かつライン全体の処理速度が２０００缶／分となるようにした。また、第１プリンター（ＰＲ１）で品種Ａおよび品種Ｄを製造し、第２プリンター（ＰＲ２）で品種Ｂおよび品種Ｃを製造し、２台のプリンターが同時に運転を開始し、同時に運転を終了するようにした。
［第１プリンター（ＰＲ１）］
１５分の準備作業後に品種Ａを１０００缶／分で製造を開始し、１５０分稼働して１５万缶を製造した後、処理速度を２０００缶／分に上げ、２５分稼働して５万缶を製造し、合計２０万缶の品種Ａの製造を完了した。次に、第１プリンター（ＰＲ１）を停止して品種Ｄの準備作業を行い、５０分後に１０００缶／分で製造を開始し、２００分稼働して２０万缶の品種Ｄの製造を完了した。
［第２プリンター（ＰＲ２）］
１５分の準備作業後に品種Ｂを１０００缶／分で製造を開始し、１５０分稼働して１５万缶の品種Ｂの製造を完了した。次に、第２プリンター（ＰＲ２）を停止して品種Ｃの準備作業を行い、２５分後に２０００缶／分で製造を開始し、５０分稼働して１０万缶を製造した後、処理速度を１０００缶／分に下げ、１５０分稼働して１５万缶を製造し、合計２５万缶の品種Ｃの製造を完了した。
【００８６】
上記実施例において、初動時は２台のプリンターの処理速度を各１０００缶／分としてライン全体で２０００缶／分とし、第２プリンター（ＰＲ２）で品種Ｂの製造が完了した時点で第１プリンター（ＰＲ１）の処理速度を２倍にして全体の処理速度を保っている。その間第２プリンター（ＰＲ２）では品種Ｃの準備作業を行い、第１プリンター（ＰＲ１）で品種Ａの製造が完了して品種Ｄの準備作業の開始と同時に品種Ｃの製造を開始する。第２プリンター（ＰＲ２）における品種Ｃの製造開始時は第１プリンター（ＰＲ１）が停止しているので処理速度を２０００缶／分とし、第１プリンター（ＰＲ１）の品種Ｄ製造開始時に１０００缶／分に下げる。そして２台のプリンター（ＰＲ１）（ＰＲ２）を共に１０００缶／分で運転し、同時に運転を終了する。以上の工程により、運転開始から４４０分後に４品種の製造が終了し、比較例よりも１９０分短縮することができた。
【００８７】
以上のように、複数品種の缶体製造に際し、複数のプリンターとソーターを用いることで設備が完全に停止する時間を最小限にとどめて生産性を向上させることができる。製造品種が増加すれば、同じ要領で運転を継続させれば良い。各プリンターにおいて製造する品種は、品種数と品種毎の缶体数、各品種に最低限必要な準備時間に応じて最短時間で全品種の製造が完了するように適宜組み合わせれば良い。
【００８８】
なお、本実施例では、２台（２組）のプリンターによる４品種の缶体製造を示したが、品種数およびプリンター数は限定されず任意数とすることができる。品種数とプリンター数が同数の場合も本発明に含まれる。品種数とプリンター数が同数の場合でも、各品種の準備を並行して行い、また前品種の払い出しのための設備停止時間が不要となることで全体の製造時間を短縮することができる。
【産業上の利用可能性】
【００８９】
本発明の複数品種の缶体の製造方法は、製造ラインを停止することなく印刷内容の変更が可能であるから、複数品種の缶体を効率良く製造できる。
【図面の簡単な説明】
【００９０】
【図１】本発明の複数品種の缶体の製造方法を実施する製造ラインの一例を示す工程図である。
【図２】図１の部分拡大図である。
【図３】本発明の分別装置の一例を模式的に示す平面図である。
【図４】図３の４−４線断面図である。
【図５】図３の５−５線断面図である。
【図６】本発明の分別装置の他の例を模式的に示す平面図である。
【図７】実施例および比較例の缶体の製造ラインにおいて、印刷機の稼働状態を示す図である。
【図８】従来の缶体の製造ラインを示す工程図である。
【符号の説明】
【００９１】
ＳＴＲ、ＳＴＲ２…ソーター（缶体の分別装置）
Ｓ、Ａ，Ｂ、Ｚ…缶体
Ｍ…識別マーク
10…整列部
11…ポケット（整列用ポケット）
12…スターホイール（回転盤）
13…エアの給排管（脱着装置）
14…電磁弁（脱着装置）
20…識別部
21…メインターレット（回転盤）
22…ポケット（自転用ポケット）
24…エアの給排管（脱着装置）
25…電磁弁（脱着装置）
30…自転装置
40…分離部
41…ポケット（分離用ポケット）
42…スターホイール（回転盤）
43…エアの給排管（脱着装置）
【図１】
2008183613.tif 000003
【図２】
2008183613.tif 000004
【図３】
2008183613.tif 000005
【図４】
2008183613.tif 000006
【図５】
2008183613.tif 000007
【図６】
2008183613.tif 000008
【図７】
2008183613.tif 000009
【図８】
2008183613.tif 000010